(57)【要約】【課題】燃料電池を設けた表示部をより小さく構成できるようにする。【解決手段】モニタ１２は、例えば、液晶表示装置または有機ＥＬなどからなり、平板状の表示部２の第１の面側に配置される。燃料電池１１は、例えば、固体高分子形燃料電池などからなり、表示部２のモニタ１２が配置されている第１の面に対向する第２の面側に配置される。そして、表示部２は、回動軸６を中心として、本体部５に対して回動自在に支持される。また、表示部２は、回動軸６と垂直な回動軸３により、本体部５に対して回動自在に支持される。本発明は、表示部および燃料電池を備える電子機器に適用することができる。【選択図】      図１
2004213498.tif 000002
【特許請求の範囲】
【請求項１】
本体部と、前記本体部に対して回動可能な表示部とで構成される電子機器において、
平板状の前記表示部の第１の面側に配置されたモニタと、
前記表示部の前記第１の面に対向する第２の面側に配置された燃料電池と、
前記本体部に対して前記表示部を回動自在に支持する第１の回動軸と、
前記本体部に対して前記表示部を回動自在に支持する、前記第１の回動軸と垂直な第２の回動軸とを備えることを特徴とする電子機器。
【請求項２】
前記表示部は、前記燃料電池を配置した前記第２の面側に、前記燃料電池に空気を供給する空気孔をさらに備え、
前記表示部が、前記第２の面が前記本体部側に対向するように前記本体部に格納された場合、前記本体部と前記表示部との間に隙間が形成されることを特徴とする請求項１に記載の電子機器。
【請求項３】
前記本体部と前記表示部との間の隙間は、前記表示部の第１の面と前記第２の面の中心が、前記第２の回動軸の中心に対して前記第１の面側に所定の距離だけずらされていることにより形成されることを特徴とする請求項２に記載の電子機器。
【発明の詳細な説明】
【０００１】
【発明の属する技術分野】
本発明は、電子機器に関し、特に、表示部および燃料電池を備える電子機器に関する。
【０００２】
【従来の技術】
電子機器に装着可能な燃料電池が開発され、実用化されつつある。燃料電池は、所定の燃料と空気とを反応させ、電力を出力する。燃料電池の出力をあげるためには、燃料電池に空気を供給する必要がある。
【０００３】
従来、電子機器の回動可能に設けられた表示部の内部に燃料電池を配置するとき、燃料電池に空気を供給するため、表示部に空気チャネルが設けられていた。
【０００４】
【発明が解決しようとする課題】
しかしながら、表示部に燃料電池を設けると表示部が大きくなってしまうという問題点があった。
【０００５】
また、表示部の表示面を表にして使用したとき、燃料電池に十分な空気を供給することができない場合があった。
【０００６】
本発明はこのような状況に鑑みてなされたものであり、燃料電池を設けた表示部をより小さく構成できるようにすることを目的とする。
【０００７】
また、表示部の状態にかかわらず、燃料電池に十分な空気を供給することができるようにすることを目的とする。
【０００８】
【課題を解決するための手段】
本発明の電子機器は、平板状の表示部の第１の面側に配置されたモニタと、表示部の第１の面に対向する第２の面側に配置された燃料電池と、本体部に対して表示部を回動自在に支持する第１の回動軸と、本体部に対して表示部を回動自在に支持する、第１の回動軸と垂直な第２の回動軸とを備えることを特徴とする。
【０００９】
表示部は、燃料電池を配置した第２の面側に、燃料電池に空気を供給する空気孔をさらに備え、表示部が、第２の面が本体部側に対向するように本体部に格納された場合、本体部と表示部との間に隙間が形成されるようにすることができる。
【００１０】
本体部と表示部との間の隙間は、表示部の第１の面と第２の面の中心が、第２の回動軸の中心に対して第１の面側に所定の距離だけずらされていることにより形成されるようにすることができる。
【００１１】
本発明の電子機器においては、平板状の表示部の第１の面側にモニタが配置され、表示部の第１の面に対向する第２の面側に燃料電池が配置される。そして、第１の回動軸により、本体部に対して表示部が回動自在に支持されるとともに、第１の回動軸と垂直な第２の回動軸により、本体部に対して表示部が回動自在に支持される。
【００１２】
【発明の実施の形態】
図１は、本発明に係る電子機器の一実施の形態を示す図である。図１に示す電子機器１の表示部２は、使用者が表示部２の表示面を目視できるように、回動されている。
【００１３】
電子機器１に設けられている表示部２は、回動軸３並びにヒンジ４−１およびヒンジ４−２（図３を参照して後述する）を介して、本体部５に回動自在に支持されている。
【００１４】
表示部２は、本体部５に対して、回動軸６を中心として、図中の時計方向に回動することができる。
【００１５】
表示部２は、回動軸６と垂直の軸である回動軸３を中心として、回動することができる。
【００１６】
表示部２には、燃料電池１１およびモニタ１２が設けられている。燃料電池１１は、例えば、固体高分子形燃料電池であって、水素、メタノール、またはエタノールなどを燃料とし、燃料を空気に反応させることより、電力を発生し、発生した電力を電子機器１に供給する。燃料電池１１に燃料を供給する、ボンベまたはタンク等の容器または装置の図示は省略する。
【００１７】
なお、燃料電池１は、固体高分子形燃料電池に限らず、リン酸形燃料電池、または固体酸化物形燃料電池などの他の方式の燃料電池であってもよく、燃料電池１の方式は、本発明を限定するものではない。
【００１８】
モニタ１２は、例えば、液晶表示装置、または有機ＥＬ（Ｅｌｅｃｔｒｏ  Ｌｕｍｉｎｅｓｃｅｎｃｅ）表示装置などからなり、所定の文字または画像などを表示する。
【００１９】
なお、モニタ１２は、電子機器１の制御の基に、文字または画像などを表示できるものであればよく、その方式を問わない。
【００２０】
図１に示すように、燃料電池１１は、表示部２のモニタ１２が配置されている面と対向する、表示部２の他の面に配置される。
【００２１】
表示部２の燃料電池１１が配置される面には、蓋１３が設けられる。蓋１３には、所定の数の空気孔１４が設けられている。空気孔１４は、所定の開口面積を有し、空気を吸入できるように構成されている。空気孔１４の数は、１または複数とすることができる。空気孔１４の数または位置は、本発明を限定するものではない。
【００２２】
空気孔１４から吸入された空気は、燃料電池１１に供給される。燃料電池１１は、空気孔１４から吸入された空気と、燃料とを反応させ、電力を発生させる。
【００２３】
図中のＬ１で示す鎖線は、回動軸６を通り、本体部５の外面のうち、表示部２が配置される面と平行の線を示す。
【００２４】
図中のＬ２で示す鎖線は、表示部２の中心線である。
【００２５】
図１に示すように、Ｌ１で示す鎖線とＬ２で示す鎖線とは、所定の距離Ｄ１だけ離れている。これにより、モニタ１２の表示面が本体部５に対して外側を向くように表示部２を回動させて、表示部２と本体部５とを閉じたとき、すなわち、表示部２が本体部５に格納されたとき、本体部５の外面のうち、表示部２が配置される面と蓋１３との間に、所定の距離Ｄ２の隙間が生成される。
【００２６】
表示部２が配置される本体部５の面と蓋１３との間に、所定の距離Ｄ２の隙間が生成されるので、空気孔１４から燃料電池１１を動作させるのに十分な空気が吸入される。
【００２７】
例えば、モニタ１２の表示面が本体部５に対して内側を向くように表示部２を回動させて、表示部２と本体部５とを閉じたとき、表示部２と本体部５とが密着するようにした場合、距離Ｄ２は、距離Ｄ１の２倍になる。
【００２８】
表示部２の構成の詳細について、図２および図３を参照して説明する。
【００２９】
図２は、表示部２を上面から見た拡大図であり、図３は、図２におけるＡ−Ａ近傍の側面から見た拡大図である。
【００３０】
表示部２のほぼ中心には、基板２１が設けられている。基板２１には、モニタ１２が実装されている。仕切板２２は、蓋１３と共に、燃料電池１１を格納するための電池室を形成する。
【００３１】
端子２３−１は、金属などの導電体からなり、端子２３−１の一部は、燃料電池１１に接続され、端子２３−１の一端は基板２１に接続されている。端子２３−２は、金属などの導電体からなり、端子２３−２の一部は、燃料電池１１に接続され、端子２３−２の一端は基板２１に接続されている。端子２３−１および端子２３−２は、燃料電池１１が発電した電力を、基板２１に導電する。
【００３２】
表示部２の蓋１３の対向する面側には、表示窓２４が設けられている。表示窓２４は、例えば、透明なプラスチックなどの透明な材料からなり、使用者は、表示窓２４を通して、モニタ１２が表示する文字または図形を見ることができる。
【００３３】
基板２１には、さらにコネクタ２５が設けられている。複数のリード線からなるケーブル２６の一端は、コネクタ２５に接続される。ケーブル２６は、回動軸３およびヒンジ４−２を通り、ケーブル２６の他の一端は、本体部５の基板２７に設けられたコネクタ２８に接続される。このように、ケーブル２６により、基板２１と基板２７とが電気的に接続される。すなわち、表示部２は、本体部５と電気的に接続される。
【００３４】
従って、燃料電池１１で発生した電力は、表示部２だけでなく、本体部５にも供給される。
【００３５】
次に、本体部５に対し表示部２を回動可能に支持する機構について説明する。
【００３６】
表示部２の筐体の回動軸３と接する部分は、軸受３１として、回動軸３と回動自在に嵌合される。回動軸３および軸受３１により、表示部２は、本体部５に対して、回動軸３を中心として、図３のＢで示す矢印の方向に回動可能に支持される。
【００３７】
ヒンジ３２は、コの字の形状からなる部材である。ヒンジ３２の両端は、ヒンジ４−１またはヒンジ４−２と回動自在に固定される。回動軸３は、ヒンジ３２の中心部にかしめられ、固定される。
【００３８】
より詳細には、ピン３３−１は、ヒンジ３２の一端に設けられた円形の穴に挿入されると共に、ヒンジ４−１に圧入固定される。ピン３３−２は、ヒンジ３２の他の一端に設けられた円形の穴に挿入されると共に、ヒンジ４−２に圧入固定される。
【００３９】
このように、ヒンジ３２の一端は、ピン３３−１により、回動軸６を中心としてヒンジ４−１に回動自在に固定される。ヒンジ３２の他の一端は、ピン３３−２により、回動軸６を中心としてヒンジ４−２に回動自在に固定される。すなわち、ヒンジ４−１およびヒンジ４−２、ヒンジ３２、並びにピン３３−１およびピン３３−２により、表示部２を回動自在に支持する回動軸が形成される。
【００４０】
これにより、表示部２は、本体部５に対して、図２中において、回動軸６（すなわち、図３中のＬ３の鎖線で示す軸）を中心として、時計方向または反時計方向に回動可能に支持される。
【００４１】
例えば、回動軸３による回動の中心軸と、ヒンジ４−１およびヒンジ４−２並びにヒンジ３２による回動の中心軸との関係を垂直とする（直交させる）ことにより、表示部２を、本体部５に対して、所望の角度に配置することができる。
【００４２】
ケーブル２６は、回動軸３に同心に設けられた孔（中空部）を通り、ピン３３−２に同心に設けられた孔（中空部）を通り、さらに本体部５に設けられた孔３４を通り、表示部２の基板２１および本体部５の基板２７を電気的に接続する。
【００４３】
次に、図４乃至図７を参照して、表示部２の回動について説明する。
【００４４】
図４は、モニタ１２を使用していない状態の電子機器１を示す図である。図４に示す例において、表示部２の表示窓２４は、本体部５とほぼ密着した状態となる。表示部２が本体部５に格納されているとき、表示部２の蓋１３と本体部５の筐体は、１つの平面を形成し、電子機器１は、フラットな外形を形成する。
【００４５】
表示部２の蓋１３は、電子機器１の外側を向いているので、空気孔１４から空気が吸入され、吸入された空気が燃料電池１１に供給される。
【００４６】
図４に示す状態から回動軸６を中心として表示部２を、図中Ａで示す矢印の方向（時計方向）に回動させると、図５に示すように、表示部２は、本体部５に対して、開かれ、使用者が表示部２のモニタ１２を見ることができる位置に配置される。
【００４７】
図５に示す場合においても、表示部２の蓋１３を遮るものがないので、空気孔１４から空気が吸入され、吸入された空気が燃料電池１１に供給される。
【００４８】
図５に示す状態から回動軸３を中心として表示部２を、図中Ｂで示す矢印の方向に回動させると、図６に示すように、表示部２は、図５に示す場合と反対側に向けられる。
【００４９】
図６に示す場合においても、表示部２の蓋１３を遮るものがないので、空気孔１４から空気が吸入され、吸入された空気が燃料電池１１に供給される。
【００５０】
図６に示す状態から回動軸６を中心として表示部２を、図中Ｃで示す矢印の方向（反時計方向）に回動させると、図７に示すように、使用者から表示部２のモニタ１２を見ることができる状態のまま、表示部２は、本体部５に対して、閉じられ、すなわち、表示部２が本体部５に格納され、表示部２と本体部５とは、ほぼ一体の状態となる。図７に示す状態は、図１および図２に示す状態と同じであり、表示部２が配置される本体部５の面と蓋１３との間に、所定の距離Ｄ２の隙間が生成されるので、空気孔１４から燃料電池１１を動作させるのに十分な空気が吸入される。
【００５１】
このように、２つの回動軸を介して、本体部５に支持される表示部２の１つの面側にモニタ１２を配置し、対向する面側に燃料電池１１を配置したので、電子機器１１全体をより小さく構成することができるようになる。
【００５２】
すなわち、平板状の表示部の第１の面側にモニタが配置され、表示部の第１の面に対向する第２の面側に燃料電池が配置され、第１の回動軸により、本体部に対して表示部が回動自在に支持されるとともに、第１の回動軸と垂直な第２の回動軸により、本体部に対して表示部が回動自在に支持されるようにしたので、表示部をより小さく構成できるようになる。
【００５３】
蓋１３の空気孔１４から燃料電池１１を動作させるのに十分な空気が吸入されるようにしたので、表示部２に空気チャネルを設ける必要がなく、表示部２をより小さく構成することができる。
【００５４】
また、表示部２のモニタ１２を見ることができる位置のまま、表示部２を本体部５に対して閉じても、本体部５の面と蓋１３との間に、隙間が生成されるようにしたので、表示部２が本体部５に対してどのような位置にあっても、また、モニタ１２を使用していても使用していなくても、空気孔１４から十分な空気を燃料電池１１に供給することができる。
【００５５】
すなわち、表示部が、燃料電池を配置した第２の面側に、燃料電池に空気を供給する空気孔をさらに備え、表示部が、第２の面が本体部側に対向するように本体部に格納された場合、本体部と表示部との間に隙間が形成されるようにするようにした場合、表示部の状態にかかわらず、燃料電池に十分な空気を供給することができるようになる。
【００５６】
なお、軸受３１が、回動軸３と嵌合されて回動軸が形成され、ヒンジ４−１およびヒンジ４−２、ヒンジ３２、並びにピン３３−１およびピン３３−２により、回動軸が形成されて、表示部２が回動自在に支持されると説明したが、回動軸は、回動可能に表示部２を支持できればよく、その方式は、本発明を限定するものではない。
【００５７】
【発明の効果】
以上のように、本発明の電子機器によれば、表示部から電子機器に電力を供給することができる。
【００５８】
また、本発明によれば、燃料電池を設けた表示部をより小さく構成することができる。
【図面の簡単な説明】
【図１】本発明に係る電子機器の一実施の形態を示す図である。
【図２】表示部２の上面図である。
【図３】表示部２の側面図である。
【図４】表示部２の回動を説明する図である。
【図５】表示部２の回動を説明する図である。
【図６】表示部２の回動を説明する図である。
【図７】表示部２の回動を説明する図である。
【符号の説明】
１  電子機器
２  表示部
３  回動軸
４−１および４−２  ヒンジ
５  本体部
６  回動軸
１１  燃料電池
１２  モニタ
１３  蓋
１４  空気孔
３１  軸受
３２  ヒンジ
３３−１および３３−２  ピン
【図１】
2004213498.tif 000003
【図２】
2004213498.tif 000004
【図３】
2004213498.tif 000005
【図４】
2004213498.tif 000006
【図５】
2004213498.tif 000007
【図６】
2004213498.tif 000008
【図７】
2004213498.tif 000009